(57)【要約】【課題】  本来の特徴である携帯性を損なうことなく、ポケット等からの落下を防止することができるとともにポケット内から迅速に取り出すことができ、これにより、破損および紛失を防止することができるとともに利便性をさらに向上することのできる携帯電話機を提供する。【解決手段】  衣類のポケットまたは鞄の収納ポケットに収納される携帯電話機１０は、携帯電話本体１１と、携帯電話本体１１に取り付けられたフック２１とを備えている。フック２１は可撓性を有し衣類１のポケット２の縁部２ｂに係合する。フック２１は携帯電話本体１１のアンテナとして機能する。【選択図】  図１
0003105875.tif 000002
【実用新案登録請求の範囲】
【請求項１】
衣類や鞄等のポケットに収納される携帯電話機において、
携帯電話本体と、
携帯電話本体に取り付けられ、可撓性を有しポケットの縁部に係合するフックとを備え、
フックは携帯電話本体のアンテナとして機能することを特徴とする携帯電話機。
【請求項２】
フックは携帯電話本体とともにクリップを構成することを特徴とする請求項１に記載の携帯電話機。
【請求項３】
フックは携帯電話本体への取付部と、取付部から携帯電話本体に沿って延びる延長部とを有することを特徴とする請求項１または２に記載の携帯電話機。
【請求項４】
延長部が板バネとして機能することを特徴とする請求項３記載の携帯電話機。
【請求項５】
取付部がバネとして機能することを特徴とする請求項３記載の携帯電話機。
【請求項６】
フックに固定された鏡をさらに備えていることを特徴とする請求項１乃至５のいずれか一項に記載の携帯電話機。
【請求項７】
フックは携帯電話本体から取り外し自在であることを特徴とする請求項１乃至６のいずれか一項に記載の携帯電話機。
【考案の詳細な説明】
【技術分野】
【０００１】
本考案は、携帯電話機、とりわけ携帯性の優れた携帯電話機に関する。なお、本明細書中における携帯電話機とは、無線通信により他の電話機と通話することができるすべての電話機を意味し、簡易型携帯電話機（ＰＨＳ、Ｐｅｒｓｏｎａｌ  Ｈａｎｄｙｐｈｏｎｅ  Ｓｙｓｔｅｍ）も含む概念である。
【背景技術】
【０００２】
携帯電話機はその本来の目的である携帯性を確保するために小型化されている。さらに、昨今における携帯電話機は、小型化された形状を維持しつつ、電話としての機能だけでなくカメラや小型情報端末としての機能も有するようになっている。このように、携帯電話機が多機能化するにつれ、携帯電話機の利便性が向上し、携帯電話機は多くの人の日常生活内で広く普及するに至っている。
【０００３】
携帯電話機は、頻繁に使用されるために衣類のポケットや鞄の外側に設けられたポケット等に収納されて携行されることが多い。この場合、携帯電話機がポケットから落下してしまい、携帯電話機を破損してしまったり、あるいは、紛失してしまったりする虞が有る。また、携帯電話機、とりわけ最近主流になりつつある折り畳み式の携帯電話機は、ポケットの大きさよりもさらに小型化されている。そのため、携帯電話機は、通常、ポケット内の底部において横倒れした状態となる。この場合、狭いポケット内から携帯電話機を迅速に探し出して掴むことが困難なこともある。
【０００４】
このような不都合を取り除くため、携帯電話機に取り付けられるクリップ付のストラップが多数開発されている（例えば、特許文献１）。クリップは携帯電話機に取り付けていない側のストラップ端部に設けられており、このクリップはポケットの縁部等に固定される。このストラップにより、携帯電話機がポケット等から落下してしまうことを防止することができる。また、ストラップを介し、ポケット内から携帯電話機を容易に探し出すことができる。
【特許文献１】特開２００３−１５３７２６号公報
【考案の開示】
【考案が解決しようとする課題】
【０００５】
ところで、携帯電話機は、他の電話機と無線により電波を送受信するためのアンテナを有している。通常、アンテナは携帯電話機の小型化を妨げないよう、必要に応じて携帯電話機内部から引出すことができるようになっている。ただし、アンテナの先端部はアンテナを引出し可能とするために、常時、携帯電話本体から突出している。したがって、上述したストラップを介してポケット内で横倒れした状態になっている携帯電話機をポケット内から引き上げようとしても、このアンテナ先端部がポケット内に引っ掛かりスムースかつ迅速に携帯電話機を取り出すことができないという不都合がある。また、上述した特許文献によるストラップを取り付けることにより、携帯電話機本来の特徴である携帯性を損なってしまうという不都合もある。
【０００６】
本考案はこのような点を考慮してなされたものであり、本来の特徴である携帯性を損なうことなく、ポケット等からの落下を防止することができるとともにポケット内から迅速に取り出すことができ、これにより、破損および紛失を防止することができるとともに利便性がさらに向上された携帯電話機を提供することを目的とする。
【課題を解決するための手段】
【０００７】
本考案は、衣類や鞄等のポケットに収納される携帯電話機において、携帯電話本体と、携帯電話本体に取り付けられ、可撓性を有しポケットの縁部に係合するフックとを備え、フックは携帯電話本体のアンテナとして機能することを特徴とする携帯電話機である。
【０００８】
本考案は、フックは携帯電話本体とともにクリップを構成することを特徴とする携帯電話機である。
【０００９】
本考案は、フックは携帯電話本体への取付部と、取付部から携帯電話本体に沿って延びる延長部とを有することを特徴とする携帯電話機である。
【００１０】
本考案は、延長部が板バネとして機能することを特徴とする携帯電話機である。
【００１１】
本考案は、取付部がバネとして機能することを特徴とする携帯電話機である。
【００１２】
本考案は、フックに固定された鏡をさらに備えていることを特徴とする携帯電話機である。
【００１３】
本考案は、フックは携帯電話本体から取り外し自在であることを特徴とする携帯電話機である。
【考案の効果】
【００１４】
本発明によれば、携帯電話機は、その本来の特徴である携帯性を損なわれてしまうことなく、ポケット等からの落下を防止され得るとともにポケット内から迅速に取り出され得る。これにより、この携帯電話機は破損および紛失を防止され得るとともに、その利便性はさらに向上される。
【考案を実施するための最良の形態】
【００１５】
以下、図面を参照して本考案の実施の形態について説明する。
【００１６】
図１乃至図４は本考案による携帯電話機の第１の実施の形態を示す図である。
【００１７】
このうち、図１は衣類１のポケット２に収納された状態の携帯電話機１０を示す斜視図であり、図２は携帯電話機１０をフック２１側から示す平面図であり、図３は携帯電話機１０を示す側面図であり、図４は携帯電話機１０を示す斜視図である。
【００１８】
図１乃至図４に示すように、携帯電話機１０は、携帯電話本体１１と、携帯電話本体１１に固定され、可撓性を有し衣類１のポケット２の開口縁部２ｂに係合するフック２１とを備えている。本実施の形態における携帯電話本体１１は所謂折り畳み式であり、上部１２と、下部１５と、上部１２と下部１５とを揺動自在に連結するヒンジ１８部とを有している。すなわち、上部１２と下部１５がヒンジ１８を介して揺動することにより、携帯電話本体１１は展開され、あるいは折り畳まれる。図１乃至図３は携帯電話本体１１の折り畳まれた状態を示し、図４は携帯電話本体１１の展開された状態を示している。
【００１９】
まず、フック２１について詳述する。
【００２０】
フック２１は携帯電話本体１１の下部１５に取り付けられて固定されており、携帯電話本体１１への取付部２２と、取付部２２から携帯電話本体１１に沿って延びる延長部２３とを有している。このうち取付部２２は携帯電話本体１１の下部１５に直交して取り付けられた平板からなり、延長部２３は取付部２２に連結された平板からなっている。このような取付部２２と延長部２３は、電波透過性が良く可撓性を有する樹脂等から一体に形成されている。
【００２１】
図３に示すように、延長部２３の端部には当接部２４が携帯電話本体１１側に向けて突設されている。また、延長部２３は取付部２２に対して垂直よりも携帯電話本体１１側に向けて連結されており、図３に示すように反り返っている。したがって、延長部２３は板バネとして機能し、当接部２４は延長部２３の復元力により携帯電話本体１１に向けて押圧された状態で携帯電話本体１１に当接している。すなわち、フック２１は携帯電話本体１１との間でクリップを構成しており、フック２１と携帯電話本体１１との間で薄い物を挟み込み挟持することができるようになっている。
【００２２】
また、図２および図３に示すように、フック２１はその内部に延在する導電材２５を有している。この導電材２５は携帯電話本体１１内まで延在し、携帯電話本体１１内の回路に電気的に接続している。この導電材２５を有することにより、フック２１は携帯電話本体１１のアンテナとして機能する。なお、上述したようにフック２１の取付部２２と延長部２３とは電波透過性の良い材料により形成されている。したがって、導電材２５がフック２１の内部に配置されたとしても、充分にアンテナとして機能することができる。また、導電材２５の長さ、太さ、および配置等は携帯電話本体１１が用いている電波に対応して、電波の感度が最適となるように決定される。
【００２３】
次に、携帯電話本体１１について詳述する。
【００２４】
上述したように、本実施の形態による携帯電話本体１１は所謂折り畳み式であり、上部１２と、下部１５と、ヒンジ１８とを有している。図４に示すように、上部１２は受話音を聞き取るための受話口１２ａと、情報を表示するための表示部１２ｂとを有し、下部１５は送信音を入力するための送話口１５ａと、携帯電話本体１１を操作するための操作ボタン１５ｂとを有している。
【００２５】
ただし、携帯電話本体１１は上述したフック２１の導電材２５に電気的に接続するとともに、この導電材２５をアンテナとして用いることができ、また、無線通信によって通話することができる電話機能を有する範囲において、特に限定されるものではない。したがって、携帯電話本体１１は電話機能以外のカメラや移動情報端末としての機能を併せ持ってもよい。また、当然に、携帯電話本体１１は折り畳み式に限定されるものでもなく、図１乃至図４に示す構成と異なってもよい。
【００２６】
次にこのような構成からなる本実施の形態の作用について説明する。
【００２７】
携帯電話機１０を衣類１のポケット２内に収納する際には、携帯電話本体１１を折り畳むとともに、フック２１と携帯電話本体１１との間にポケット２を形成する生地２ａの縁部２ｂが入り込むように携帯電話機１０をポケット２内に収納する。この場合、上述したようにフック２１の延長部２３が板ばねとして機能し、フック２１が携帯電話本体１１とクリップを構成している。このため、フック２１の当接部２４と、携帯電話本体１１の下部１５との間で、生地２ａが挟み込まれて固定される。したがって、携帯電話機１０と衣類１との相対位置が固定される。これにより、携帯電話機１０はポケット２に対して確実に固定され、ポケット２から携帯電話機１０が落下してしまい、携帯電話機１０を破損あるいは紛失してしまうことを防止することができる。
【００２８】
また、この状態から携帯電話機１０を使用する際には、携帯電話機１０がポケット２の縁部２ｂに安定して固定され、ポケット２内の底部で横倒れした状態になっていないので、ポケット２内の携帯電話機１０を容易かつ確実に掴むことができる。さらに、携帯電話本体１１のアンテナはフック２１内に延在しており、従来のように携帯電話本体１１から突出していない。これらのことにより、ポケット２内から携帯電話機１０を必要に応じて迅速に取り出すことができる。
【００２９】
なお、衣類１のポケット２でなく、鞄の収納ポケット２に携帯電話機１０を収納した場合においても同様の作用効果が得られる。つまり、携帯電話機１０を鞄内において安定して収納保持することができるとともに、鞄内から迅速に取り出すことができる。
【００３０】
ところで、携帯電話本体１１のアンテナは、上述したように、従来のように携帯電話本体１１の内部から必要に応じて引き出す引出式ではなく、携帯電話本体１１の外部に取り付けられたフック２１からなっている。したがって、携帯電話本体１１を単にメタル塗装したり、シールド材を積層したりすることによって、アンテナ（フック２１の導電材２５）から発される電磁波が携帯電話本体１１の内部回路に悪影響を及ぼしてしまうことを容易に防止することができる。このため、携帯電話本体１１内部の構造を従来よりも簡易にすることができ、これにより、携帯電話機１０をさらに小型化することができる。
【００３１】
以上のように本実施の形態によれば、本来の特徴である携帯性を損なうことなく、ポケット２等からの落下を防止することができるとともにポケット２内から迅速に取り出すことができ、これにより、破損および紛失を防止することができるとともに利便性がさらに向上された携帯電話機１０を提供することができる。
【００３２】
なお、本実施の形態においては、フック２１が携帯電話本体１１に固定されている例を示したが、これに限られず、フック２１を携帯電話本体１１から取り外し自在にしてもよい。この場合、必要に応じてフック２１を携帯電話本体１１に取り付けることにより、上述した作用効果を得て携帯電話機１０の利便性を向上させることができるとともに、所望の場合には、フック２１を携帯電話本体１１から取り外して携帯電話機１０を小型化することにより、携帯電話機１０の携帯性を向上させることができる。なお、この場合には、フック２１とは別に、携帯電話本体１１にもアンテナを設けることが必要となる。したがって、フック２１を携帯電話本体１１に取り付けた場合には、２つのアンテナが機能し、携帯電話機１０の電波感度を向上させることができる。
【００３３】
また、本実施の形態のおいては、フック２１を折り畳み式携帯電話本体１１の下部１５に取り付けた例を示したが、これに限られず、フック２１を折り畳み式携帯電話本体１１の上部１２に取り付けても良い。
【００３４】
さらに、本実施の形態によれば、フック２１を側面視において（図３参照）略Ｌ字状に形成してフック２１と携帯電話本体１１とによってクリップを構成する例を示したが、これに限られず、フック２１を側面視においてコ字状に形成し、フック２１のみでクリップを構成するようにしてもよい。
【００３５】
次に、図５および図６により、本発明による携帯電話機１０ａの第２の実施の形態について説明する。図５は本発明による携帯電話機１０ａの第２の実施の形態を示す平面図であり、図６は携帯電話機１０ａの側面図である。
【００３６】
なお、図５および図６に示す第２の実施の形態は、図１乃至図４を用いて説明した第１の実施の形態とフック２１ａが異なるのみである。図５および図６において、第１の実施の形態と同一部分には同一符号を付し、詳細な説明は省略する。
【００３７】
第１の実施の形態と同様に、フック２１ａは携帯電話本体１１への取付部２２ａと、取付部２２ａから携帯電話本体１１に沿って延びる延長部２３ａとを有し、取付部２２ａと延長部２３ａは、電波透過性が良く可撓性を有する樹脂等から一体に形成されている。また、フック２１ａはその内部に延在する導電材２５を有し（図５）、携帯電話本体１１のアンテナとして機能する。
【００３８】
本実施の形態によるフック２１ａの取付部２２ａは携帯電話本体１１に取り付けられた曲板からなっており、延長部２３ａは取付部２２ａに連結された略Ｌ字状の平板からなっている。このような延長部２３ａは、上述した第１の実施の形態の取付部２２ａよりも柔軟となっており、フック２１ａと携帯電話本体１１との間に薄手の生地２ａから厚手の生地２ａまで挟むことができる。
【００３９】
また、フック２１ａと携帯電話本体１１との間を広げようとすると、側方視（図６）における取付部２２ａの曲率が変化する。その場合、取付部２２ａ内には曲率を元に戻そうとする応力が生じ、取付部２２ａもバネとして機能する。すなわち、フック２１ａと携帯電話本体１１により構成されるクリップの挟持力は、延長部２３ａの復元力と取付部２２ａの復元力とによって構成される。したがって、クリップの挟持力を延長部２３ａと取付部２２ａとの形状によって調整することができる。
【００４０】
なお、本実施の形態においても、当然に、フック２１ａは携帯電話本体１１の上部１２あるいは下部１５のどちら側に取り付けられてもよく、また、フック２１ａを携帯電話本体１１から取り外し自在としてもよく、さらに、フック２１ａのみでクリップを構成するようにしてもよい。
【００４１】
次に、図７および図８により、本発明による携帯電話機１０ｂの第３の実施の形態について説明する。図７は本発明による携帯電話機１０ｂの第３の実施の形態を示す斜視図であり、図８は携帯電話機１０ｂの側面図である。
【００４２】
なお、図７および図８に示す第３の実施の形態は、図１乃至図５を用いて説明した第１および第２の実施の形態とフック２１ｂが異なるのみである。図７および図８において、第１および第２の実施の形態と同一部分には同一符号を付し、詳細な説明は省略する。
【００４３】
第１および第２の実施の形態と同様に、フック２１ｂは携帯電話本体１１への取付部２２ｂと、取付部２２ｂから携帯電話本体１１に沿って延びる延長部２３ｂとを有し、取付部２２ｂと延長部２３ｂは、電波透過性が良く可撓性を有する樹脂等から一体に形成されている。また、フック２１ｂはその内部に延在する導電材２５を有し（図７）、携帯電話本体１１のアンテナとして機能する。
【００４４】
本実施の形態によるフック２１ｂの取付部２２ｂは携帯電話本体１１に取り付けられた曲板からなっており、延長部２３ｂは取付部２２ｂに連結された平板からなっている。
【００４５】
本実施の形態によれば、フック２１ｂの延長部２３ｂには、鏡２７が固定されている。すなわち、本実施の形態において、携帯電話機１０ｂは携帯電話本体１１と、フック２１ｂと、鏡２７とを備えている。これにより、携帯電話機１０ｂが手鏡としての機能も有することになり、さらに携帯電話機１０ｂの利便性を向上させることができる。
【００４６】
また、本実施の形態においては、延長部２３ｂのうち鏡２７の配置位置に対応する部分は、鏡２７の剛性により可撓性が失われ、板ばねとして機能しない。そのため、図８に示すように、延長部２３ｂのうち鏡２７の配置位置に対応する部分により、携帯電話本体１１への当接部２４ｂを形成するようにしている。
【００４７】
その一方で、第２の実施の形態と同様に曲板からなる取付部２２ｂがばねとして機能する。このため、第１および第２の実施の形態と同様に、フック２１ｂと携帯電話本体１１によりクリップを構成し、携帯電話機１０ｂをポケット２等に固定することができる。また、この場合、当接部２４ｂの面積が広いため、携帯電話機１０ｂをより確実にポケット２等に固定することができる。
【００４８】
なお、本実施の形態においても、当然に、フック２１ｂは携帯電話本体１１の上部１２あるいは下部１５のどちら側に取り付けられてもよく、また、フック２１ｂを携帯電話本体１１から取り外し自在としてもよく、さらに、フック２１ｂのみでクリップを構成するようにしてもよい。
【図面の簡単な説明】
【００４９】
【図１】本考案による携帯電話機の第１の実施の形態を示す図であって、衣類のポケットに収納した状態を示す斜視図。
【図２】携帯電話機を示す平面図
【図３】携帯電話機を示す側面図
【図４】携帯電話機を示す斜視図
【図５】本考案による携帯電話機の第２の実施の形態を示す平面図。
【図６】本考案による携帯電話機の第２の実施の形態を示す側面図。
【図７】本考案による携帯電話機の第３の実施の形態を示す斜視図。
【図８】本考案による携帯電話機の第３の実施の形態を示す側面図。
【符号の説明】
【００５０】
１  衣類
２  ポケット
２ａ  生地
２ｂ  縁部
１０，１０ａ，１０ｂ  携帯電話機
１１  携帯電話本体
１２  上部
１２ａ  受話口
１２ｂ  表示部
１５  下部
１５ａ  送話口
１５ｂ  操作ボタン
１８  ヒンジ
２１，２１ａ，２１ｂ  フック
２２，２２ａ，２２ｂ  取付部
２３，２３ａ，２３ｂ  延長部
２４，２４ｂ  当接部
２５  導電材
２７  鏡
【図１】
0003105875.tif 000003
【図２】
0003105875.tif 000004
【図３】
0003105875.tif 000005
【図４】
0003105875.tif 000006
【図５】
0003105875.tif 000007
【図６】
0003105875.tif 000008
【図７】
0003105875.tif 000009
【図８】
0003105875.tif 000010